(57)【要約】【課題】装置を移動した場合にデシカント材などの吸湿部材の変更を利用者に促し、移動先の環境に合わせて水の生成量を向上させる水生成装置及び水生成システムを提供する。【解決手段】エアフィルタ１５、吸湿部材であるデシカントロータ１６及び水浄化フィルタ２０は交換可能である。加熱器１２、送風用ファン１４、再生用ファン１７、凝縮器１８、ポンプ１９及び水受タンク２１は、エアフィルタ１５、デシカントロータ１６及び水浄化フィルタ２０を用いて水を生成する。情報取得部は、移動先の環境情報を取得する。管理部１０は、情報取得部により取得された環境情報を基に、移動先の環境に適した特定の水生成部材を選択し、選択した移動先の環境に適した特定の水生成部材の情報を報知する。【選択図】図２
2020159013.tif 000002
【特許請求の範囲】
【請求項１】
吸湿部材を含む交換可能な複数の水生成部材と、
複数の前記水生成部材を用いて水を生成する水生成部と、
移動先の環境情報を取得する情報取得部と、
前記情報取得部により取得された前記環境情報を基に、前記移動先の環境に適した特定の水生成部材を選択する選択部と、
前記選択部より選択された前記移動先の環境に適した前記特定の水生成部材の情報を報知する報知部と
を備えたことを特徴とする水生成装置。
【請求項２】
前記水生成装置は人の手により搬送が可能な大きさであることを特徴とする請求項１に記載の水生成装置。
【請求項３】
前記水生成装置に前記特定の水生成部材が搭載されたことを検知する検知部と、
前記検知部により前記特定の水生成部材が搭載されたことが検知された場合、前記特定の水生成部材に応じた水生成制御を実行する制御部と、
をさらに備えたことを特徴とする請求項１又は２に記載の水生成装置。
【請求項４】
前記移動先の環境情報には、少なくとも前記移動先の位置情報が含まれることを特徴とする請求項１〜３のいずれか一つに記載の水生成装置。
【請求項５】
前記水生成部材は、空気濾過材又は水濾過材を含むことを特徴とする請求項１〜４のいずれか一つに記載の水生成装置。
【請求項６】
情報提供装置及び水生成装置を有する水生成システムであって、
前記水生成装置は、
吸湿部材を含む交換可能な複数の水生成部材と、
複数の前記水生成部材を用いて水を生成する水生成部と、
移動先の環境情報を取得し前記情報提供装置へ送信する送信部と、
前記移動先の環境に適した特定の水生成部材に関する情報を前記情報提供装置から取得し、前記特定の水生成部材を選択する選択部と、
前記選択部より選択された前記特定の水生成部材の情報を報知する報知部とを備え、
前記情報提供装置は、
複数の環境情報にそれぞれ対応させて複数の水生成部材に関する情報を格納する情報格納部と、
前記送信部により送信された前記環境情報を基に、前記移動先の環境に適した前記特定の水生成部材に関する情報を前記情報格納部から取得して、前記選択部へ送信する情報提供部とを備えた
ことを特徴とする水生成システム。
【発明の詳細な説明】
【技術分野】
【０００１】
本発明は、水生成装置及び水生成システムに関する。
【背景技術】
【０００２】
近年、地球上では、水道設備施設のスピードが急増する人口に対して追いつかず、水不足が深刻化している。そのような水不足の解決策として、空気から水を生成する水生成装置の開発が進んでいる。
【０００３】
空気から水を生成する手段には、大別して吸着式と結露式の２つの方法がある。吸着式の代表例としては、水蒸気吸着材を担持したデシカントロータを用いるデシカント式が挙げられる。また、結露式の代表例としては、冷媒を圧縮するコンプレッサーと空気中の水分を結露させるための熱交換器を有するヒートポンプ式が挙げられる。
【０００４】
吸着式は、低温条件で水生成量の水生成量が低下するおそれは低い。ただし、吸着式は、デシカントロータから水分を離脱させて再生するために大きな熱量が用いられるため、ヒーターにかかる消費電力が大きくなる傾向がある。
【０００５】
一方、結露式では、大気温度が低い場合、あるいは湿度が低い場合に、水生成量が少なくなるというデメリットが存在する。また、コンプレッサーや熱交換器を用いるため小型化しにくく、重量が抑えにくいことも結露式の欠点である。
【０００６】
現在は、大きなサイズのウォーターサーバ型の水生成器や大型設備としての水生成器などの設置型の水生成器が主流である。しかし、このような従来型の水生成器では、生成器された水を、水不足が発生している地域まで運搬しなければならず、水を利用するためのコストや利便性が損なわれるおそれがある。このような問題を解決するためには、持ち運び可能なウォーターサーバ型や超小型ボトル型といった可搬型の水生成器を提供することが好ましい。
【０００７】
この点、上述したように結露式の水生成器は小型化し難いため、可搬型の水生成器を実現することは困難である。そこで、可搬型の水生成器としては、水生成の方式としてデシカント式と用いた水生成器であることが好ましい。
【０００８】
なお、吸着式の水生成器としては、夜間に送風により水蒸気吸着材に水分を吸着させ、昼間に太陽光で吸着水を離脱させる従来技術がある。また、再生用通路に再生用空気を循環させることで水分を含んだ吸湿ロータを再生し、再生用通路の下部に設けられたドレイン孔へ水を回収する従来技術がある。また、水分凝縮材を並べて搭載したコンベアを回転させ、空気を冷却して水分を回収する機構を有する筐体に水分凝縮材を搬送して淡水を回収する従来技術がある。
【先行技術文献】
【特許文献】
【０００９】
【特許文献１】特許第３９０２００３号公報
【特許文献２】特許第４０９４４０９号公報
【特許文献３】特許第６１５９９１２号公報
【発明の概要】
【発明が解決しようとする課題】
【００１０】
しかしながら、デシカント式の水生成器の場合、以下のような状況が考えられる。例えば、年平均の温度が３０度であり湿度が７０％ＲＨの地方で使用していた水生成器を、年平均の温度が１５度であり湿度が４０％ＲＨの地方へ持っていき使用したが、水の生成量が大きく減少する。この例の場合の主な原因は次の２つである。１つは、そもそも空中に含まれる水分量に差があるため、デシカント式の水生成器であっても、低湿度条件では水が生成し難いことが原因である。他の１つは、デシカント材が移動前の湿度条件には適しているが、移動先の温湿度などの気候条件に適していないことが原因である。
【００１１】
また、夜間に水蒸気吸着材に水分を吸着させ太陽光で吸着水を離脱させる従来技術では、移動により環境が変化した場合の環境に適した水分吸着材の使用について考慮されておらず、装置移動時に水分生成量を維持又は向上させることは困難である。これは、再生用通路に再生用空気を循環させて水を回収する従来技術や、水分凝縮材を並べて搭載したコンベアを回転させて淡水を回収する従来技術においても同様である。
【００１２】
開示の技術は、上記に鑑みてなされたものであって、装置を移動した場合にデシカント材などの吸湿部材の変更を利用者に促し、移動先の環境に合わせて水の生成量を向上させる水生成装置及び水生成システムを提供することを目的とする。
【課題を解決するための手段】
【００１３】
本願の開示する水生成装置及び水生成システムの一つの態様において、水生成装置は、吸湿部材を含む交換可能な複数の水生成部材を有する。水生成部は、複数の前記水生成部材のいずれかを用いて水を生成する。情報取得部は、移動先の環境情報を取得する。選択部は、前記情報取得部により取得された前記環境情報を基に、前記移動先の環境に適した特定の水生成部材を選択する。報知部は、前記選択部より選択された前記移動先の環境に適した前記特定の水生成部材の情報を報知する。
【発明の効果】
【００１４】
１つの側面では、本発明は、装置を移動した場合に移動先の環境に合ったデシカント材などの水生成部材の変更を利用者に促すことができる。
【図面の簡単な説明】
【００１５】
【図１】図１は、実施例１に係る水生成システムの概略構成図である。
【図２】図２は、水生成装置の水生成機構及び水生成部材管理機能を表すブロック図である。
【図３】図３は、水生成装置における水生成処理の流れの模式図である。
【図４】図４は、実施例１に係る水生成装置の管理部及び状態取得部の詳細を表すブロック図である。
【図５】図５は、デシカント材の吸着特性を表す図である。
【図６】図６は、エアフィルタ検出機構の一例を表す図である。
【図７】図７は、実施例１に係る水生成部材による交換推奨通知及び交換後の制御のシーケンス図である。
【図８】図８は、実施例１に係る水生成装置による水生成部材交換処理のフローチャートである。
【図９】図９は、スマートフォンによる交換推奨通知の発行処理のシーケンス図である。
【図１０】図１０は、クラウドサーバによる交換推奨通知の発行処理のシーケンス図である。
【図１１】図１１は、ＧＰＳを用いて水生成装置の設置位置を特定する構成の一例を表す図である。
【図１２】図１２は、ＩＰアドレスを用いて水生成装置の設置位置を特定する構成の一例を表す図である。
【図１３】図１３は、実施例２に係る水生成装置のブロック図である。
【図１４】図１４は、実施例２に係る水生成装置の管理部及び状態取得部の詳細を表すブロック図である。
【図１５】図１５は、実施例２に係る水生成装置による交換推奨通知及び交換後の制御のシーケンス図である。
【発明を実施するための形態】
【００１６】
以下に、本願の開示する水生成装置及び水生成システムの実施例を図面に基づいて詳細に説明する。なお、以下の実施例により本願の開示する水生成装置及び水生成システムが限定されるものではない。
【実施例１】
【００１７】
図１は、実施例１に係る水生成システムの概略構成図である。本実施例に係る水生成システム１００は、水生成装置１、スマートフォン２及びクラウドサーバ３を有する。
【００１８】
水生成装置１は、吸湿部材を用いて水を生成する装置である。また、水生成装置１は、可搬型である。ここで、可搬型とは、利用者が手で持ち運べる大きさ及び重さの装置であることを指す。例えば、水生成装置１は、縦、横及び高さの寸法が３８０ｍｍ×２５０ｍｍ×５００ｍｍ以下、重さが５ｋｇ以下である。水生成装置１は、利用者により持ち運ばれて設置場所が変更される。例えば、利用者が引っ越しや旅行などを行う場合、水生成装置１は、現在設置されている場所から、引っ越し先や旅行先などに移動され移動先に設置される。水生成装置１は、Ｂｌｕｅｔｏｏｔｈ（登録商標）やＷｉ−Ｆｉ（Wireless  Fidelity）（登録商標）などの無線通信により携帯型の通信端末であるスマートフォン２と接続される。
【００１９】
スマートフォン２は、水生成装置１と無線通信により接続される。また、スマートフォン２は、無線通信によりインターネット４に接続される。そして、スマートフォン２は、インターネット４を介してクラウドサーバ３に接続する。
【００２０】
スマートフォン２は、水生成装置１の利用者のスケジュールの情報を保持する。利用者のスケジュールには、旅行や引っ越しなどの移動による移動先の情報や移動日時が含まれる。スマートフォン２は、利用者のスケジュールを確認して移動日の１週間前など移動日が近づくと移動先の位置情報をクラウドサーバ３へ出力する。
【００２１】
その後、スマートフォン２は、移動先に応じた水生成部材の情報をクラウドサーバ３から取得する。ここで、水生成部材とは、水生成装置１において水を生成するために用いられる部材である。スマートフォン２は、取得した移動先に応じた水生成部材の情報を水生成装置１へ出力する。
【００２２】
ここで、本実施例では、スマートフォン２は、自己のスケジュール管理機能が保持する情報を利用して移動先の位置情報をクラウドサーバ３へ提供したが、情報の取得方法はこれに限らない。例えば、利用者が飛行機などのチケットをスマートフォン２を使用して購入した場合、スマートフォン２は、チケット情報を用いて移動先を特定して移動先の位置情報を取得してもよい。
【００２３】
クラウドサーバ３は、例えば情報提供を行う企業が有するデータセンタなどに配置される。クラウドサーバ３は、インターネット４に接続される。
【００２４】
クラウドサーバ３は、世界各地の位置情報に対応させて各地点での温度、湿度、空気の汚染状況及び生成した水に含まれる化学物質の情報を記憶する。これらの情報は、事前に調査したり、規制のデータを入手したりすることで取得可能である。そして、クラウドサーバ３は、世界各地の位置情報に対応させて各地の環境に適する水生成部材に関する情報をデータベースに保持する。ここで、各地の環境に適する水生成部材に関する情報には、その環境に適した複数の水生成部材が含まれ、その中から各地点の実際の状況に合わせて最適な水生成部材が選択される。クラウドサーバ３は、水生成装置１の移動先の位置情報をスマートフォン２から取得する。そして、クラウドサーバ３は、移動先の環境に適する水生成部材に関する情報をスマートフォン２へ出力する。この移動先の位置情報が「環境情報」の一例にあたり、クラウドサーバ３が「情報取得部」の一例にあたる。
【００２５】
次に、図２〜４を参照して、水生成装置１について詳細に説明する。図２は、水生成装置の水生成機構及び水生成部材管理機能を表すブロック図である。また、図３は、水生成装置における水生成処理の流れの模式図である。また、図４は、実施例１に係る水生成装置の管理部及び状態取得部の詳細を表すブロック図である。
【００２６】
図２に示すように、水生成装置１は、管理部１０、通信部１１、加熱器１２、ステッピングモータ１３、送風用ファン１４、エアフィルタ１５、デシカントロータ１６、再生用ファン１７、凝縮器１８、ポンプ１９、水浄化フィルタ２０及び水受タンク２１を有する。ここで、エアフィルタ１５、デシカントロータ１６及び水浄化フィルタ２０は、水生成部材に含まれる。以下では、水生成部材と呼称する場合、少なくともエアフィルタ１５、デシカントロータ１６及び水浄化フィルタ２０のうちいずれかが含まれればよい。
【００２７】
送風用ファン１４は、図２及び３に示すように、外部の空気を吸気してエアフィルタ１５を介してデシカントロータ１６に向けて空気Ｂを送り、デシカントロータ１６に水分を吸収させる。デシカントロータ１６に向けて送られた空気Ｂは、デシカントロータ１６を通過して外部へ排気される。
【００２８】
また、送風用ファン１４は、図２及び３に示すように、凝縮器１８に向けて室温の空気Ｒを送る。送風用ファン１４から送られた空気が凝縮器１８に吹き付けられることで、凝縮器１８が冷却されて水分Ｗが結露して水となる。送風用ファン１４は、管理部１０からの制御を受けて回転数が変化する。送風用ファン１４の回転数が変化することで、空気Ｒの量が変化し、凝縮器１８の凝縮能力が変化する。
【００２９】
エアフィルタ１５は、送風用ファン１４が吸い込む空気Ｂを濾過するフィルタである。エアフィルタ１５は、予め設けられた空気汚染の閾値毎に複数種類存在する。空気汚染の度合いは、例えば、ＰＭ（Particulate  Matter）２．５、砂及び花粉などの汚染物質の量によって決定される。空気汚染の閾値は、それらの汚染物資の量に基づいて決定される。
【００３０】
ここでは、エアフィルタ１５は、例えば、空気汚染が少ない環境で使用する小汚染用エアフィルタ、空気汚染が中位の環境で使用する中汚染用エアフィルタ及び空気汚染が大きい環境で使用する大汚染用エアフィルタの３種類が存在する。具合的には、空気がきれいな環境下で用いる小汚染用エアフィルタは、目が粗めのフィルタである。逆に空気汚染が大きい環境下で用いる大汚染用エアフィルタは、目が細かいフィルタである。中汚染用エアフィルタは、小汚染用エアフィルタと大汚染用エアフィルタとの中間の目の粗さのフィルタである。これらの、３種類のエアフィルタ１５が使用される環境を区別する値が、空気汚染の閾値にあたる。
【００３１】
デシカントロータ１６は、吸湿部材の一例であるデシカント材を有する。デシカント材は、多数の細孔を有し、その細孔が吸湿する吸湿部材である。本実施例では、デシカント材には、吸湿する細孔径が小さい第１デシカント材と、吸湿する細孔径が大きい第３デシカント材と、第１デシカント材と第３デシカント材との中間の細孔径を有する第２デシカント材とが存在する。例えば、第１デシカント材の細孔径は０．２ｎｍであり、第３デシカント材の細孔径は１０ｎｍである。第１〜３デシカント材は、いずれも湿度に応じて水分を吸着する量が変化する特性を有し、各第１〜３デシカント材はその特性が異なる。すなわち、第１〜３デシカント材は、水分吸着量が最大となる湿度が異なる。
【００３２】
図５は、デシカント材の吸着特性を表す図である。図５は、縦軸で水分吸着量を表し、横軸で相対湿度を表す。グラフ２０１は、第１デシカント材の吸着特性を表す。グラフ２０２は、第２デシカント材の吸着特性を表す。グラフ２０３は、第３デシカント材の吸着特性を表す。第１〜第３デシカント材は、グラフ２０１〜２０３で示されるように温度を固定した状態で湿度が変化した場合の水分の吸着量を示す吸着温線のピークが異なる。この要因は、各第１〜第３デシカント材の細孔径の（平均）分布比率によって吸着しやすい湿度帯が変わるためである。グラフ２０２の特性を有する材料は少ないが、第１デシカント材及び第３デシカント材を混合して、グラフ２０２のカーブの細孔径の範囲になるように第２デシカント材を生成することも可能である。
【００３３】
第１デシカント材は、例えば、Ａ型ゼオライトを材料とする。この場合、第１デシカント材の細孔径は、０．２ｎｍ〜１．０ｎｍとなる。また、第２デシカント材は、例えば、ハスクレイを材料とする。この場合、第２デシカント材の細孔径は、１．０ｎｍ〜５．０ｎｍとなる。また、第３デシカント材は、例えば、珪藻土やＢ型シリカを材料とする。この場合、第３デシカント材の細孔径は、５．０ｎｍ〜１０．０ｎｍとなる。
【００３４】
図２及び３に戻って説明を続ける。デシカントロータ１６は、ステッピングモータ１３により駆動され図３の矢印Ｃの方向に回転する。デシカントロータ１６は、エアフィルタ１５で濾過された空気Ｂが通過する。これにより、デシカントロータ１６を通過した空気Ｂに含まれる水分が吸着する。
【００３５】
ステッピングモータ１３は、例えば図３の矢印Ｃのように、送風用ファン１４から送られる空気Ｂの流れに直交する方向にデシカントロータ１６を回転させる。これにより、空気Ｂが通過するデシカントロータ１６の領域が変化する。ステッピングモータ１３は、管理部１０の制御を受けて回転数が変化する。ステッピングモータ１３の回転数が変化することで、デシカントロータ１６の回転速度も変化する。
【００３６】
加熱器１２は、デシカントロータ１６に熱を与えて加熱する機器である。加熱器１２は、管理部１０からの制御を受けて加熱温度が変化する。加熱器１２の加熱温度が変化することで、デシカントロータ１６からの水分Ｗの離脱量が変化する。
【００３７】
デシカントロータ１６に吸着された水分は、図２及び３に示すように、加熱器１２からの熱風ＨＡを受けてデシカントロータ１６から離脱する。この離脱した水分を含む高温高湿の空気ＨＡ’は凝縮器１８へ送られる。凝縮器１８内でＨＡ’は水分Ｗと低湿空気ＬＡとに分けられ、水分Ｗはポンプ１９へ、低湿空気ＬＡは再生用ファン１７へ送られる。
【００３８】
再生用ファン１７は、凝縮器１８から送られた低湿空気ＬＡを加熱器１２へ向けて送風する。この後、低湿空気ＬＡは再び加熱器１２で加熱され熱風ＨＡとなりデシカントロータ１６へ送られる。すなわち、再生用ファン１７は、前述のように凝縮器１８、再生ファン１７、加熱器１２、デシカントロータ１６で構成される熱風循環システム内で循環される空気を送風する役割を有する。
【００３９】
凝縮器１８は、送風用ファン１４から送られた室温の空気Ｒにより冷やされ、凝縮器１８において水分Ｗは結露して水となる。
【００４０】
ポンプ１９は、凝縮器１８において水となった水分Ｗを吸い込んで吐出し水浄化フィルタ２０を経由させて水受タンク２１へ送る。ポンプ１９は、管理部１０からの制御を受けて吐出する水圧が変化する。ポンプ１９の吐出の水圧が変化することで、水浄化フィルタ２０を流れる水分Ｗの水圧が変化する。
【００４１】
水浄化フィルタ２０は、ポンプ１９から吐出された水分Ｗを濾過する。水浄化フィルタ２０は、除去の対象とする特定の化学物質毎に複数種類存在する。ただし、水浄化フィルタ２０が除去する特定の化学物質は、複数種類を対象としてもよい。ここで、特定の化学物質とは、例えば、ベンゼン、トリクロロエチレン、テトラクロロエチレン、ジクロロメタン、アクリロニトリル、アセトアルデヒド、クロム及三価クロム化合物、ダイオキシン、ホルムアルデヒド、塩化メチル又は酸化エチレンなど微量であっても長期的な摂取で健康に被害をもたらす可能性のある化学物質にあたる。ただし、この特定の化学物質は、ここに記載の化学物質のみに限定されるものではなく、各国政府や国連とそれに準ずる機関、各種学術団体が指定した有害大気汚染物質といった他の化学物質であってもよい。
【００４２】
水受タンク２１は、ポンプ１９から吐出され水浄化フィルタ２０により浄化された水分Ｗを貯水する。水受タンク２１は、殺菌灯２１１が取り付けられる。殺菌灯２１１は、管理部１０の制御を受けて、点灯状態が変更される。例えば、殺菌灯２１１の点灯状態には、連続点灯や所定間隔で点灯と消灯とを繰り返すＰＷＭ（Pulse  Width  Modulation）点灯などがある。
【００４３】
通信部１１は、スマートフォン２がクラウドサーバ３から受信した移動先の環境に適する水生成部材に関する情報の入力を受ける。ここで、水生成部材に関する情報には、例えば、デシカントロータ１６におけるデシカント材の種類、エアフィルタ１５の種類及び水浄化フィルタ２０の種類などが含まれる。デシカントロータ１６に含まれるデシカント材、エアフィルタ１５及び水浄化フィルタ２０は、後述するようにそれぞれ個別に交換することができる。そして、通信部１１は、取得した水生成部材に関する情報を決定部１０２へ出力する。
【００４４】
状態取得部２２は、水生成装置１に搭載されたデシカントロータ１６、エアフィルタ１５及び水浄化フィルタ２０のそれぞれの種類を検出して、管理部１０へ通知する。ここで、図４を参照して、状態取得部２２について詳細に説明する。状態取得部２２は、デシカントロータ１６の種類の入力が行われる入力部２２１、並びに、エアフィルタ検出機構２２２及び濾過フィルタ検出機構２２３を有する。この状態取得部２２が、「検知部」の一例にあたる。
【００４５】
入力部２２１は、例えば、水生成装置１に付属するリセットスイッチや制御基板上のスイッチである。デシカントロータ１６の交換の作業者は、水生生成装置１の表示画面などを確認して、クラウドサーバ３などから送信された、その場所に適する水生成部材を通知する交換推奨通知を受ける。この交換推奨通知は、適切な水姿勢部材が搭載されていないことを示すエラー発生の通知を兼ねる。そして、デシカントロータ１６の交換の作業者は、水生成装置で指定されたデシカントロータ１６への交換後に、入力部２２１であるリセットスイッチや制御基板上のスイッチを切り替えることで、交換推奨通知で指定されたデシカントロータ１６への交換完了を通知する。この場合、交換完了の通知を行うことで、交換推奨通知で指定された水生成部材の情報が判定部１３１へ出力される。この交換推奨通知は、水生成装置１に搭載された液晶画面への表示でもよいし、スマートフォン２に表示させてもよい。
【００４６】
また、入力部２２１は、キーボードやマウスなどであってもよい。この場合、作業者が入力部２２１を操作して水生成装置１に搭載されたデシカントロータ１６の情報を入力する。そして、入力部２２１から入力された水生成装置１に搭載されたデシカントロータ１６の情報は、判定部１３１へ出力される。ここで、本実施例では、入力部２２１は、水生成装置１に設けられた場合で説明したが、この入力部２２１は、スマートフォン２であってもよい。
【００４７】
エアフィルタ検出機構２２２は、水生成装置１に搭載されたエアフィルタ１５の情報を取得する。例えば、エアフィルタ検出機構２２２は、図６に示すような機構を有する。図６は、エアフィルタ検出機構の一例を表す図である。
【００４８】
図６に示すように、エアフィルタ検出機構２２２は、スイッチ３１１〜３１３を備える。また、エアフィルタ３０１は小汚染用エアフィルタであり、エアフィルタ３０２は中汚染用エアフィルタであり、エアフィルタ３０３は、大汚染用エアフィルタである。エアフィルタ３０１を水生成装置１にセットすると、スイッチ３１１が押下され、他のスイッチ３１２及び３１３は押されない。また、エアフィルタ３０２を水生成装置１にセットすると、スイッチ３１２が押下され、他のスイッチ３１１及び３１３は押されない。また、エアフィルタ３０３を水生成装置１にセットすると、スイッチ３１３が押下され、他のスイッチ３１１及び３１２は押されない。すなわち、エアフィルタ検出機構２２２は、スイッチ３１１〜３１３のいずれかが押下されたかを検出することにより大汚染用エアフィルタ、中汚染用エアフィルタ又は小汚染用エアフィルタのいずれかがセットされたかを検出できる。そして、エアフィルタ検出機構２２２は、検出したエアフィルタ１５の情報を判定部１３１へ出力する。
【００４９】
ただし、エアフィルタ検出機構２２２は、他の方法により水生成装置１に搭載されたエアフィルタ１５を検出してもよい。例えば、エアフィルタ検出機構２２２に、リミットスイッチを設け、リミットスイッチがオンになった場合にエアフィルタ１５が搭載されたことを検出する。そして、エアフィルタ検出機構２２２は、水受タンク２１に貯められる単位時間当たりの水の量の変化及び空気センサの反応値の変化によりフィルタの種類を特定してもよい。
【００５０】
また、エアフィルタ検出機構２２２は、リミットスイッチがオンになった状態の送風用ファン１４のファンモータの負荷電流値から水生成装置１に搭載されたエアフィルタ１５を検出してもよい。エアフィルタ１５の密度に応じて空気の圧力損失が変化するため、ファンモータの負荷も変化することから、エアフィルタ検出機構２２２は、ファンモータの負荷電流値から水生成装置１に搭載されたエアフィルタ１５を検出可能である。この場合、電流検出には、シャント抵抗、ＣＴ（Current  Transformer）、電流センサＩＣ（Integrated  Circuit）などを用いることができる。
【００５１】
また、フィルタの種類を特定する他の方法としては、以下の方法がある。例えば、作業者が、エアフィルタ１５の交換後に水生成装置１に取り付けられた操作スイッチや制御基板上のスイッチを操作するといった所定の動作を行う。その後、エアフィルタ検出機構２２２は、ファンモータの負荷電流値から水生成装置１に搭載されたエアフィルタ１５を検出する。
【００５２】
また、エアフィルタ検出機構２２２は、入力部２２１などを用いて作業者により入力された情報から水生成装置１に搭載されたエアフィルタ１５を検出してもよい。
【００５３】
濾過フィルタ検出機構２２３は、水生成装置１に搭載された水浄化フィルタ２０の情報を取得する。例えば、濾過フィルタ検出機構２２３は、エアフィルタ検出機構２２２と同様に図６に示すような機構を有することで、水生成装置１に搭載された水浄化フィルタ２０を検出することができる。そして、濾過フィルタ検出機構２２３は、検出した水浄化フィルタ２０の情報を判定部１３１へ出力する。
【００５４】
ここで、濾過フィルタ検出機構２２３は、エアフィルタ検出機構２２２で説明したスイッチや入力部２２１を用いた情報入力により水生成装置１に搭載された水浄化フィルタ２０を検出してもよい。また、濾過フィルタ検出機構２２３は、水受タンク２１に貯められる単位時間当たりの水の量の変化により水生成装置１に搭載された水浄化フィルタ２０を検出してもよい。
【００５５】
次に、管理部１０について説明する。管理部１０は、図４に示すように、通知部１０１、決定部１０２及び制御部１０３を有する。
【００５６】
決定部１０２は、自装置である水生成装置１に搭載可能なデシカントロータ１６、エアフィルタ１５及び水浄化フィルタ２０の情報を予め有する。例えば、決定部１０２は、デシカントロータ１６として、第１〜３デシカント材のどれを用いると単位分あたりの生成量が最大になるかを決めるための情報を記憶する。また、決定部１０２は、エアフィルタ１５として、小汚染用エアフィルタ、中汚染用エアフィルタ又は大汚染用エアフィルタのいずれかが水生成装置１に搭載可能であることを記憶する。また、決定部１０２は、除去の対象とする特定の化学物質毎の水浄化フィルタ２０を記憶する。
【００５７】
さらに、決定部１０２は、水生成装置１に搭載中のデシカントロータ１６、エアフィルタ１５及び水浄化フィルタ２０の情報の入力を判定部１３１から受ける。そして、決定部１０２は、水生成装置１に搭載中のデシカントロータ１６、エアフィルタ１５及び水浄化フィルタ２０の情報を記憶する。
【００５８】
また、決定部１０２は、移動先の環境に適した水生成部材に関する情報の入力を通信部１１から受ける。次に、決定部１０２は、取得した情報から、デシカント材の種類、エアフィルタ１５の種類及び水浄化フィルタ２０の種類を取得する。そして、決定部１０２は、クラウドサーバ３から送信された交換推奨通知により指定されたデシカント材の種類、エアフィルタ１５の種類及び水浄化フィルタ２０の種類から、移動先の環境に適したデシカントロータ１６、エアフィルタ１５及び水浄化フィルタ２０を決定する。
【００５９】
次に、決定部１０２は、水生成装置１に搭載中の水生成部材と移動先の環境に適した水生成部材とを比較する。搭載中の水生成部材と移動先の環境に適した水生成部材とが一致しない場合、決定部１０２は、移動先の環境に適した、デシカントロータ１６、エアフィルタ１５及び水浄化フィルタ２０の情報を通知部１０１へ出力する。
【００６０】
通知部１０１は、移動先の環境に適した、デシカントロータ１６、エアフィルタ１５及び水浄化フィルタ２０の情報の入力を決定部１０２から受ける。そして、通知部１０１は、水生成装置１に付属した表示パネルなどを用いて、移動先の環境に適した、デシカントロータ１６、エアフィルタ１５及び水浄化フィルタ２０を利用者に通知する。この通知部１０１が、「報知部」の一例にあたる。
【００６１】
ここで、本実施例では、表示パネルを用いて利用者に通知する場合で説明したが、通知方法はこれに限らず、例えば、通知部１０１は、スマートフォン２に情報を送信して表示させることで利用者への通知を行ってもよい。また、本実施例では利用者に対して交換推奨通知を行ったが、これに加えて、通知部１０１は、交換サービスセンターへデシカントロータ１６、エアフィルタ１５及び水浄化フィルタ２０の通知を行ってもよい。
【００６２】
利用者は、通知部１０１による通知を確認して、移動先の環境に適した、デシカントロータ１６、エアフィルタ１５及び水浄化フィルタ２０を把握する。そして、利用者は、例えば、移動先の環境に適するとして指定された、デシカントロータ１６、エアフィルタ１５及び水浄化フィルタ２０を移動前に購入する。その後、利用者は、移動先において設置した水生成装置１に購入したデシカントロータ１６、エアフィルタ１５及び水浄化フィルタ２０を搭載する。
【００６３】
制御部１０３は、水生成装置１に搭載されたデシカントロータ１６、エアフィルタ１５及び水浄化フィルタ２０の情報の入力を状態取得部２２から受ける。制御部１０３は、搭載されたデシカントロータ１６、エアフィルタ１５及び水浄化フィルタ２０に適した制御を行う。これにより、移動後の地点に設置された水生成装置１は、移動先の環境に適したデシカントロータ１６、エアフィルタ１５及び水浄化フィルタ２０を用いて効率よく水を生成することができる。以下に、制御部１０３による制御について説明する。
【００６４】
制御部１０３は、判定部１３１、ステッピングモータ制御部１３２、送風用ファン制御部１３３、再生用ファン制御部１３４、加熱制御部１３５、ポンプ制御部１３６及び殺菌灯制御部１３７を有する。
【００６５】
判定部１３１は、リセットスイッチやキーボードといった入力部２２１を用いて作業者からの情報の入力により、デシカントロータ１６の交換完了を把握する。また、判定部１３１は、水生成装置１に搭載されたエアフィルタ１５の情報の入力をエアフィルタ検出機構２２２から受ける。また、判定部１３１は、水生成装置１に搭載された水浄化フィルタ２０の情報の入力を濾過フィルタ検出機構２２３から受ける。その後、判定部１３１は、水生成装置１に搭載されたデシカントロータ１６、エアフィルタ１５及び水浄化フィルタ２０の情報を決定部１０２に通知する。
【００６６】
また、判定部１３１は、デシカントロータ１６の種類に応じた最適な加熱器１２の加熱温度、再生用ファン１７の回転数及びステッピングモータ１３の回転数を予め記憶する。最適な加熱器１２の加熱温度、再生用ファン１７の回転数及びステッピングモータ１３の回転数は、予め実験的に決定されており、決定されたデータが判定部１３１に格納される。
【００６７】
判定部１３１は、入力部２２１から交換完了の通知を受けると、交換推奨通知で指定されたデシカントロータ１６に合わせて、最適な加熱器１２の加熱温度、再生用ファン１７の回転数及びステッピングモータ１３の回転数を特定する。そして、判定部１３１は、加熱温度を加熱制御部１３５へ通知する。また、判定部１３１は、再生用ファン１７の回転数を再生用ファン制御部１３４へ通知する。また、判定部１３１は、ステッピングモータ１３の回転数をステッピングモータ制御部１３２へ通知する。
【００６８】
ここで、デシカント材特性と再生用ファン１７の回転数の関連について説明する。デシカント材は、図５で示した吸着特性とは別に、水分Ｗの離脱に用いる再生温度の温度特性を有する。再生用ファン１７はデシカントロータ１６に高温の空気を送るが、再生用ファン１７の回転数を上昇させると、デシカントロータ１６へ到達する熱風温度が下がるという影響がある。そこで、デシカントロータ１６に搭載されたデシカント材の温度特性に応じて、再生用ファン１７の回転数を変化させることが好ましい。
【００６９】
例えば、Ａ型ゼオライトやＡ型シリカなどの場合、再生温度は２００℃以上が好ましい。そこで、例えばＡ型ゼオライトを有するデシカントロータ１６が搭載された場合、判定部１３１は、再生温度を２００℃以上に維持するために、再生用ファン１７の回転数を低い回転数と決定する。また、珪藻土、ハスクレイ、ＡＱＳＯＡ（登録商標）などのデシカント材の場合、再生温度は１００℃未満であることが好ましい。そこで、例えば珪藻土を有するデシカントロータ１６が搭載された場合、判定部１３１は、再生温度を１００℃未満に維持するために、再生用ファン１７の回転数を高い回転数と決定する。このように再生用ファン１７の回転数を変化させることで、水分Ｗのデシカントロータ１６からの離脱の速度が向上する。
【００７０】
また、判定部１３１は、エアフィルタ１５の種類に応じた最適な加熱器１２による加熱温度、送風用ファン１４の回転数及びステッピングモータ１３の回転数を予め記憶する。最適な加熱器１２による加熱温度、送風用ファン１４の回転数及びステッピングモータ１３の回転数は、予め実験的に決定されており、決定されたデータが判定部１３１に格納される。加熱器１２による加熱温度やステッピングモータ１３の回転数は、デシカントロータ１６の種類に応じた値と同じであってもよい。
【００７１】
判定部１３１は、エアフィルタ検出機構２２２にから取得した水生成装置１に搭載されたエアフィルタ１５の種類に応じて、最適な加熱器１２による加熱温度、送風用ファン１４の回転数及びステッピングモータ１３の回転数を特定する。そして、判定部１３１は、送風用ファン１４の回転数を送風用ファン制御部１３３へ通知する。また、判定部１３１は、ステッピングモータ１３の回転数をステッピングモータ制御部１３２へ通知する。
【００７２】
例えば、空気がきれいな環境下では目が粗めの小汚染用エアフィルタがセットされ、その場合はエアフィルタ１５による圧力損失が低減する。そこで、判定部１３１は、送風用ファン１４の吸引風量を増やし、水生成速度を速める制御に切り換える。また、空気の汚染が大きい環境下では、目が細かい大汚染用フィルタがセットされ、その場合はエアフィルタ１５による圧力損失が高まる。そこで、判定部１３１は、送風用ファン１４の吸引風量を下げ、水生成速度は低下させ、生成される水質の汚染の低減や送風用ファン１４の負荷を低減させ故障率の低減を目指す。
【００７３】
また、目が細かい大汚染用フィルタであっても水生成量を優先して判定部１３１がファンの回転数を上げ、吸い込み風量を増やす制御を行ってもよい。また、これらの制御は水質、故障率及びフィルタ劣化などをある程度許容可能な利用者の場合は、その好みによって、判定部１３１の判定処理を調整可能にしてもよい。
【００７４】
また、送風用ファン１４の回転数を一定とした場合、エアフィルタ１５の目が粗い場合は通気量が多く、エアフィルタ１５の目が密の場合は通気量が少なくなる。したがって、エアフィルタ１５の目が粗い小汚染用エアフィルタが搭載された場合は通気量が多く、水分吸着スピードは早い。そこで、判定部１３１は、ステッピングモータ１３の回転数を低くしてデシカントロータ１６の回転を遅くし、加熱器１２の加熱温度を低めに設定すると決定する。これにより、消費電力の無駄な増大を抑えることができる。これに対して、エアフィルタ１５の目が密の大汚染用エアフィルタが搭載された場合、通気量が少ないため水分吸着スピードは遅い。そこで、判定部１３１は、ステッピングモータ１３の回転数を高くしてデシカントロータ１６の回転を速くし、加熱器１２の加熱温度を高めにすると決定する。これにより、デシカントロータ１６の水分吸着スピードの低下の影響を抑え、水生成量を確保することができる。
【００７５】
また、判定部１３１は、水浄化フィルタ２０の種類に応じた最適なポンプ１９の吐出の水圧及び殺菌灯２１１の点灯状態を予め記憶する。ここで、水浄化フィルタ２０には、フィルタの性能を保証するために決められた水圧が存在するため、判定部１３１は、その決められた水圧を記憶する。判定部１３１は、エアフィルタ検出機構２２２にから取得した水生成装置１に搭載された水浄化フィルタ２０の種類に応じて、最適なポンプ１９の吐出の水圧及び殺菌灯２１１の点灯状態を特定する。そして、判定部１３１は、ポンプ１９の吐出の水圧をポンプ制御部１３６へ通知する。また、判定部１３１は、殺菌灯２１１の点灯状態を殺菌灯制御部１３７に通知する。この判定部１３１が、「選択部」の一例にあたる。
【００７６】
ステッピングモータ制御部１３２は、ステッピングモータ１３の回転数の入力を判定部１３１から受ける。そして、ステッピングモータ制御部１３２は、指定された回転数になるようにステッピングモータ１３を制御する。
【００７７】
送風用ファン制御部１３３は、送風用ファン１４の回転数の入力を判定部１３１から受ける。そして、送風用ファン制御部１３３は、指定された回転数になるように送風用ファン１４を制御する。
【００７８】
再生用ファン制御部１３４は、再生用ファン１７の回転数の入力を判定部１３１から受ける。そして、再生用ファン制御部１３４は、指定された回転数になるように再生用ファン１７を制御する。
【００７９】
加熱制御部１３５は、加熱器１２による加熱温度の入力を判定部１３１から受ける。さらに、加熱制御部１３５は、加熱器１２に取り付けられた加熱温度センサ１２１から加熱温度の入力を受ける。そして、加熱制御部１３５は、加熱温度センサ１２１により計測された加熱温度が判定部１３１により指定された加熱温度になるように加熱器１２を制御する。
【００８０】
ポンプ制御部１３６は、ポンプ１９の吐出の水圧の入力を判定部１３１から受ける。ポンプ制御部１３６は、ポンプ１９の吐出の水圧を測定する測定器を有する。そして、ポンプ制御部１３６は、測定機により測定されたポンプ１９の吐出の水圧が判定部１３１により指定された水圧になるようにポンプ１９を制御する。
【００８１】
ステッピングモータ制御部１３２、送風用ファン制御部１３３、再生用ファン制御部１３４及び加熱制御部１３５は、例えば制御用のマイクロコンピュータで実現される。そして、制御用のマイクロコンピュータから出力された信号は、トライアック又はトランジスタなどの半導体及びリレーなどを用いてステッピングモータ１３、送風用ファン１４、再生用ファン１７又は加熱器１２に対して制御の信号として供給される。
【００８２】
なお、既存のデシカントロータ１６に変えて新しい種類のデシカントロータ１６が加わった場合、その新たなデシカントロータ１６の制御データが制御用のマイクロコンピュータに書き込まれ、古い制御データは消去される。このマイクロコンピュータに対する制御データの書き換えは、水生成装置１の利用者により、スマートフォン２などを用いてＢｌｕｅｔｏｏｔｈ通信などで行われる。このように制御データを書き換えることで、水生成装置１に搭載されたマイクロコンピュータの記憶容量やＥＥＰＲＯＭ（Electrically  Erasable  Programmable  Read-Only  Memory）  の容量を節約することができ、製造コストを削減することができる。
【００８３】
次に、図７を参照して、水生成部材の交換推奨通知及び交換後の制御の流れについて説明する。図７は、実施例１に係る水生成部材による交換推奨通知及び交換後の制御のシーケンス図である。
【００８４】
スマートフォン２は、スケジュール機能などから移動先の位置情報を取得してクラウドサーバ３へ通知する（ステップＳ１０１）。
【００８５】
クラウドサーバ３は、スマートフォン２から受信した移動先の位置情報を基に、データベースを検索して位置情報に対応する水生成部材の情報を取得する。水生成部材の情報には、デシカント材の種類、エアフィルタ１５の種類及び水浄化フィルタ２０の種類の情報を含む。そして、クラウドサーバ３は、移動先に適した水生成部材の情報をスマートフォン２に送信する（ステップＳ１０２）。
【００８６】
スマートフォン２は、クラウドサーバ３から受信した移動先に適した水生成部材の情報を水生成装置１に送信する（ステップＳ１０３）。
【００８７】
水生成装置１は、スマートフォン２から受信した移動先に適した水生成部材の情報から移動先に適したデシカントロータ１６、エアフィルタ１５及び水浄化フィルタ２０を特定する。そして、水生成装置１は、搭載された水生成部材と、移動先に適した水生成部材とを比較する。ここでは、現在搭載中の水生成部材と、移動先に適した水生成部材とが一致しない場合で説明する。水生成装置１は、現在搭載中の水生成部材と移動先に適した水生成部材とが一致せず、水生成部材が移動先の環境にアンマッチと判定する（ステップＳ１０４）。
【００８８】
水生成装置１は、移動先に適したデシカントロータ１６、エアフィルタ１５及び水浄化フィルタ２０への交換推奨通知を利用者Ｐに前述のように提供する（ステップＳ１０５）。
【００８９】
利用者Ｐは、移動後に、移動先に適したデシカントロータ１６、エアフィルタ１５及び水浄化フィルタ２０への交換推奨通知を受けて、水生成部材を交換する（ステップＳ１０６）。図７において点線矢印は、水生成装置１に対するデシカントロータ１６、エアフィルタ１５及び水浄化フィルタ２０の交換作業を表す。
【００９０】
水生成装置１は、搭載されたデシカントロータ１６、エアフィルタ１５及び水浄化フィルタ２０などの水生成部材に合わせて、水生成制御を実行する（ステップＳ１０７）。例えば、水生成装置１は、送風用ファン１４及び再生用ファン１７の回転数、加熱器１２の加熱温度、ポンプ１９の水圧、並びに、殺菌灯２１１の点灯状態などを変更する。
【００９１】
また、水生成装置１は、交換を推奨したデシカントロータ１６、エアフィルタ１５及び水浄化フィルタ２０の情報を含む交換推奨状態をスマートフォン２に通知する（ステップＳ１０８）。
【００９２】
スマートフォン２は、水生成装置１から受信した交換推奨状態をクラウドサーバ３に通知する（ステップＳ１０９）。クラウドサーバ３は、水生成装置１の水生成部材の交換推奨状態を取得して記憶することで、次にその水生成装置１が移動した場合に、搭載された水生成部材が移動先に適したものであるか否かを判定することができる。
【００９３】
次に、図８を参照して、本実施例に係る水生成装置１による水生成部材交換処理の流れについて説明する。図８は、実施例１に係る水生成装置による水生成部材交換処理のフローチャートである。
【００９４】
通信部１１は、クラウドサーバ３から送信された移動先に応じた水生成部材の情報をスマートフォン２から取得する（ステップＳ２０１）。そして、通信部１１は、移動先に応じた水生成部材の情報を決定部１０２へ出力する。
【００９５】
決定部１０２は、移動先に応じた水生成部材に関する情報の入力を通信部１１から受ける。そして、決定部１０２は、受信した移動先に応じた水生成部材に関する情報から移動先に適した水生成装置１に搭載可能な水生成部材を特定する。次に、決定部１０２は、搭載中の水生成部材と移動先に適した水生成部材とを比較し、搭載中された水生成部材が移動先の環境にアンマッチか否かを判定する（ステップＳ２０２）。搭載中の水生成部材が移動先の環境にマッチする場合（ステップＳ２０２：否定）、決定部１０２は、水生成部材交換処理を終了する。
【００９６】
これに対して、搭載中の水生成部材が移動先の環境にアンマッチの場合（ステップＳ２０２：肯定）、決定部１０２は、移動先に適した水生成部材の情報を通知部１０１へ出力する。通知部１０１は、決定部１０２から入力された移動先に適した水生成部材への交換推奨通知を利用者に提供する（ステップＳ２０３）。
【００９７】
その後、判定部１３１は、水生成部材の交換が状態取得部２２により検知されたか否かを判定する（ステップＳ２０４）。水生成部材の交換が検知されない場合（ステップＳ２０４：否定）、判定部１３１は、水生成の制御状態を維持しつつ、水生成部材が交換されるまで待機する。
【００９８】
これに対して、水生成部材の交換が検知された場合（ステップＳ２０４：肯定）、判定部１３１は、水生成の制御を変更する（ステップＳ２０５）。
【００９９】
以上に説明したように、本実施例に係る水生成システムは、移動先の位置情報からその移動先に適した水生成部材を特定し、搭載中の水生成部材が移動先の環境にアンマッチの場合に、水生成部材の交換推奨通知を利用者に提供する。これにより、利用者は、移動先に適した水交換部材を移動前に購入するなどして手に入れることができ、移動先で推奨された水交換部材に交換することで、移動先で水生成装置の水生成の効率を向上させることができる。
【０１００】
さらに、本実施例に係る水生成装置は、搭載された水生成部材に合わせてファンの回転数やデシカントロータの回転速度といった水生成制御を変更する。これにより、より移動先での水生成効率を向上させることができる。
【０１０１】
（変形例）
ここで、本実施例では、クラウドサーバ３が位置情報に適した水生成部材を特定して、その情報を水生成装置１へ通知したが、水生成部材の特定はこれ以外の方法でもよい。例えば、クラウドサーバ３は、移動先の位置情報に対応した温度及び湿度の情報、空気汚染の情報、並びに、その地域の水分に含まれる特定の化学物質の情報をデータベースとして保持する。そして、クラウドサーバ３は、移動先の位置情報に応じて、温度及び湿度の情報、空気汚染の情報、並びに、特定の化学物質の情報を水生成装置１へ通知する。この場合、温度及び湿度の情報、空気汚染の情報、並びに、特定の化学物質の情報が、「環境情報」の一例にあたり、水生成装置１が「情報取得部」の一例にあたる。
【０１０２】
水生成装置１は、クラウドサーバ３から送信された温度及び湿度の情報、空気汚染の情報、並びに、特定の化学物質の情報を取得する。そして、水生成装置１は、温度及び湿度の情報、空気汚染の情報、並びに、特定の化学物質の情報から、移動先に適したデシカントロータ１６、エアフィルタ１５及び水浄化フィルタ２０を特定する。このように、クラウドサーバ３から提供された環境情報を用いて、水生成装置１が、デシカントロータ１６、エアフィルタ１５及び水浄化フィルタ２０などの移動先に適切な水生成部材を特定してもよい。
【０１０３】
また、本実施例では、水生成装置１が、自装置に搭載された水生成部材と移動先に適した水生成部材とを比較し交換推奨通知を発行したが、この機能はスマートフォン２又はクラウドサーバ３に搭載することも可能である。
【０１０４】
ここで、図９を参照して、スマートフォン２により交換推奨通知が発行される構成での、交換推奨通知の発行処理の流れを説明する。図９は、スマートフォンによる交換推奨通知の発行処理のシーケンス図である。
【０１０５】
スマートフォン２は、移動先の位置情報をクラウドサーバ３に通知する（ステップＳ３０１）。
【０１０６】
クラウドサーバ３は、移動先の位置情報に対応する水生成部材の情報をスマートフォン２へ送信する（ステップＳ３０２）。
【０１０７】
スマートフォン２は、移動先に応じた水生成部材の情報を用いて、水生成装置１に搭載可能な水生成部材のうち、移動先に適した水生成部材を特定する。そして、スマートフォン２は、水生成装置１に搭載された水生成部材と移動先に適した水生成部材とを比較する。この場合、スマートフォン２は、水生成装置１に搭載された水生成部材が移動先の環境にアンマッチと判定する（ステップＳ３０３）。
【０１０８】
そして、スマートフォン２は、移動先に適したデシカントロータ１６、エアフィルタ１５及び水浄化フィルタ２０の情報を水生成装置１へ送信して、交換推奨の通知を指示する（ステップＳ３０４）。
【０１０９】
水生成装置１は、移動先に適したデシカントロータ１６、エアフィルタ１５及び水浄化フィルタ２０への交換推奨通知を利用者Ｐに提供する（ステップＳ３０５）。
【０１１０】
また、スマートフォン２は、交換推奨状態をクラウドサーバ３へ送信する（ステップＳ３０６）。
【０１１１】
さらに、図１０を参照して、クラウドサーバ３により交換推奨通知が発行される構成での、交換推奨通知の発行処理の流れを説明する。図１０は、クラウドサーバによる交換推奨通知の発行処理のシーケンス図である。
【０１１２】
スマートフォン２は、移動先の位置情報をクラウドサーバ３に通知する（ステップＳ４０１）。
【０１１３】
クラウドサーバ３は、移動先の位置情報に応じた水生成部材の情報を取得する。次に、クラウドサーバ３は、移動先に応じた水生成部材の情報を用いて、水生成装置１に搭載可能な水生成部材のうち、移動先に適した水生成部材を特定する。そして、クラウドサーバ３は、水生成装置１に搭載された水生成部材と移動先に適した水生成部材とを比較する。この場合、クラウドサーバ３は、水生成装置１に搭載された水生成部材が移動先の環境にアンマッチと判定する（ステップＳ４０２）。
【０１１４】
そして、クラウドサーバ３は、移動先に適したデシカントロータ１６、エアフィルタ１５及び水浄化フィルタ２０の情報をスマートフォン２へ送信して、交換推奨の通知を指示する（ステップＳ４０３）。
【０１１５】
そして、スマートフォン２は、クラウドサーバ３から受信した移動先に適したデシカントロータ１６、エアフィルタ１５及び水浄化フィルタ２０の情報を水生成装置１へ転送して、交換推奨の通知を指示する（ステップＳ４０４）。
【０１１６】
水生成装置１は、移動先に適したデシカントロータ１６、エアフィルタ１５及び水浄化フィルタ２０への交換推奨通知を利用者Ｐに提供する（ステップＳ４０５）。
【０１１７】
以上に説明したように、水生成装置以外の装置が水生成部材の移動先の環境へのマッチングを行い交換推奨通知を発行することが可能である。このように水生成装置以外の装置が交換推奨通知を発行する構成であっても、利用者に移動先に適した水生成部材への交換推奨通知を提供することができ、移動先での水生成装置の水の生成効率を向上させることができる。
【０１１８】
さらに、本実施例では、移動前に交換推奨通知を利用者に提供するために、スケジュールやチケット情報を用いてクラウドサーバ３から水生成部材の情報を取得した。ただし、利用者に交換推奨通知を通知できる構成であればこの構成以外の構成を用いてもよい。
【０１１９】
例えば、交換する水生成部材の情報を利用者の移動後に取得してもよいのであれば、例えば、図１１のようにＧＰＳ（Global  positioning  system）を用いた構成としてもよい。図１１は、ＧＰＳを用いて水生成装置の設置位置を特定する構成の一例を表す図である。
【０１２０】
例えば、図１１における水生成システム４０１は、スマートフォン２がＧＰＳ衛星５を用いたＧＰＳによる位置測定機能を有する。そして、スマートフォン２は、自装置の位置情報をインターネット４を経由してクラウドサーバ３へ送信する。クラウドサーバ３は、受信した位置情報に対応する水生成部材の情報をスマートフォン２へ送信する。この場合、例えば、利用者が、スマートフォン２を持って移動先の空港に降り立った時点でクラウドサーバ３が移動先の位置情報を取得できるので、水生成装置１は設置前に、交換推奨通知が利用者に提供され得る。
【０１２１】
また、図１１における水生成システム４０２は、水生成装置１がＧＰＳ衛星５を用いたＧＰＳによる位置測定機能を有する。そして、水生成装置１は、自装置の位置情報をインターネット４を経由させてクラウドサーバ３へ送信する。クラウドサーバ３は、受信した位置情報に対応する水生成部材の情報を水生成装置１へ送信する。水生成システム４０２では、インターネット４に水生成装置１が直接繋がる構成を示したが、これに限らず、例えば、スマートフォン２を経由して水生成装置１がインターネット４に繋がる構成でもよい。
【０１２２】
さらに、ＧＰＳを用いた位置情報以外にも、図１２のように、ＩＰ（Internet  Protocol）アドレスを用いて位置を特定する構成でもよい。図１２は、ＩＰアドレスを用いて水生成装置の設置位置を特定する構成の一例を表す図である。
【０１２３】
水生成システム４０３は、水生成装置１がインターネット４に有線で直接接続された構成である。この場合、水生成装置１は、インターネット４を経由させてＩＰアドレスをクラウドサーバ３へ送信する。クラウドサーバ３は、受信したＩＰアドレスから水生成装置１の位置を特定する。そして、クラウドサーバ３は、水生成装置１の位置情報に対応する水生成部材の情報を水生成装置１へ送信する。
【０１２４】
また、水生成システム４０４は、水生成装置１が、アクセスポイント６を介してインターネット４に有線で直接接続された構成である。この場合、水生成装置１は、アクセスポイント６及びインターネット４を経由させてＩＰアドレスをクラウドサーバ３へ送信する。クラウドサーバ３は、受信したＩＰアドレスから水生成装置１の位置を特定する。そして、クラウドサーバ３は、水生成装置１の位置情報に対応する水生成部材の情報を水生成装置１へ送信する。
【０１２５】
以上に説明したように、ＧＰＳやＩＰアドレスを用いてクラウドサーバ３に位置情報を通知することが可能である。このようにＧＰＳやＩＰアドレスを用いて位置情報を通知する構成であっても、利用者に移動先に適した水生成部材への交換推奨通知を提供することができ、移動先での水生成装置の水の生成効率を向上させることができる。
【実施例２】
【０１２６】
図１３は、実施例２に係る水生成装置のブロック図である。本実施例に係る水生成装置１は、実施例１の各部に加えて、外気温度湿度センサ２３、水位センサ２４、空質センサ２５及び位置測定部２６を有する。本実施例に係る水生成装置１は、環境状態を取得してクラウドサーバ３へ送信することが実施例１と異なる。以下の説明では、実施例１と同様の各部の機能については説明を省略する。本実施例に係る水生成装置１は、ＧＰＳ衛星５から位置情報を取得可能である。
【０１２７】
本実施例に係るクラウドサーバ３は、湿度及び温度の組み合わせに対応するデシカント材の種類をデータベースに記憶する。また、クラウドサーバ３は、空気汚染量に対応するエアフィルタ１５の種類及び水浄化フィルタ２０の種類をデータベースに記憶する。
【０１２８】
クラウドサーバ３は、スマートフォン２を介して、水生成装置１により取得された水生成装置１の位置情報、その位置における外部の温度及び湿度の情報、空気の汚染情報、並びに、水受タンク２１の水位の情報を受信する。この水生成装置１の位置情報、その位置における外部の温度及び湿度の情報、空気の汚染情報、並びに、水受タンク２１の水位の情報が、「環境情報」の一例にあたる。
【０１２９】
クラウドサーバ３は、水生成装置１の位置が変化した後に１ヶ月など一定期間が経過した場合、引っ越しなどにより水生成装置１が移動されたと判定する。水生成装置１が移動されたと判定した場合、クラウドサーバ３は、移動前後の湿度及び温度の一定期間の平均値の変化を計測する。引っ越し前後の湿度及び温度の変化が温度湿度変化閾値よりも大きい場合、クラウドサーバ３は、デシカントロータ１６の変更が望ましいと判定する。そして、クラウドサーバ３は、水生成装置１の外部の温度及び湿度、並びに、位置情報から、移動先の環境に適したデシカント材を特定する。その後、クラウドサーバ３は、移動先の環境に適したデシカント材の情報をスマートフォン２を介して水生成装置１へ送信する。
【０１３０】
また、クラウドサーバ３は、移動前後の空気汚染量の一定期間の平均値の変化を計測する。空気汚染量の変化が汚染変化閾値よりも大きい場合、クラウドサーバ３は、エアフィルタ１５の種類及び水浄化フィルタ２０の変更が望ましいと判定する。そして、クラウドサーバ３は、取得した汚染情報に含まれる空気中の微粒子量と、微粒子サイズ、生物由来の微粒子量、化学物質濃度又は化学物質の種類のうちの少なくとも１つ以上の情報と、位置情報とを用いて、移動先の環境に適したエアフィルタ１５の種類を特定する。また、クラウドサーバ３は、取得した汚染情報に含まれる空気中の化学物質濃度と、空気中の微粒子量、生物由来の微粒子量のうち少なくとも１つ以上と、位置情報を用いて移動先の環境に適した水浄化フィルタ２０の種類を特定する。その後、クラウドサーバ３は、移動先の環境に適したエアフィルタ１５の種類及び水浄化フィルタ２０の種類をスマートフォン２を介して水生成装置１へ送信する。
【０１３１】
さらに、クラウドサーバ３は、水受タンク２１の水位を基に、単位時間あたりの水生成量を算出する。ここで、クラウドサーバ３は、温度及び湿度の組み合わせに応じた水受タンク２１の水位の実験データを保持する。そして、クラウドサーバ３は、算出した単位時間当たりの水生成量と実験データとの間に生成量閾値以上の乖離が存在する場合、デシカント材の交換が望ましいと判定する。そして、クラウドサーバ３は、温度及び湿度に対応するデシカント材の情報をスマートフォン２を介して水生成装置１へ送信する。この場合、水生成装置１の故障も考えられる。そのため、同じデシカントロータ１６への交換推奨通知が利用者に送られたとしても、利用者は故障を水生成装置１の故障を疑う契機となりうる。すなわち、この場合の交渉推奨通知は、故障通知としても使用可能である。このクラウドサーバ３が、「情報提供装置」の一例にあたる。
【０１３２】
次に、水生成装置１の機能について説明する。位置測定部２６は、ＧＰＳ衛星５から位置情報を取得するそして、取得した位置情報を管理部１０へ出力する。
【０１３３】
外気温度湿度センサ２３は、水生成装置１が配置された環境の外気の温度及び湿度を計測する。そして、外気温度湿度センサ２３は、計測した温度及び湿度の情報を管理部１０へ出力する。ただし、外気の温度及び湿度は、スマートフォン２が計測してクラウドサーバ３へ送信してもよい。
【０１３４】
水位センサ２４は、水受タンク２１に配置される。そして、水位センサ２４は、水受タンク２１に貯まった水の水位を検出する。そして、水位センサ２４は、検出した水位の情報を管理部１０へ出力する。
【０１３５】
空質センサ２５は、光散乱方式によるほこりセンサ、ＰＭ２．５センサ、花粉センサ、化学成分を検知可能な半導体センサ又は蛍光発光を基に生物由来物質を検知する微生物センサなどである。空質センサ２５は、空気の汚染情報を環境情報取得部１０４へ通知する。他にも、水生成装置１と連動した水生成装置１の外部に配置された各センサと接続する情報処理端末を設置し、情報処理端末が収集した汚染情報を環境情報取得部１０４が取得してもよい。さらに、環境情報取得部１０４は、気象庁など各国、各地域、各団体や調査企業が取得した大気汚染に関するデータをインターネット４で取得してもよい。また、環境情報取得部１０４は、定期的に大気汚染に関するデータを取得してもよい。
【０１３６】
次に、図１４を参照して、管理部１０の詳細について説明する。図１４は、実施例２に係る水生成装置の管理部及び状態取得部の詳細を表すブロック図である。
【０１３７】
環境情報取得部１０４は、位置測定部２６から入力された位置情報を取得する。また、環境情報取得部１０４は、外気温度湿度センサ２３から入力された温度及び湿度の情報を取得する。また、環境情報取得部１０４は、水位センサ２４から入力された水位の情報を取得する。そして、環境情報取得部１０４は、位置情報、温度及び湿度の情報、並びに、水位の情報を通信部１１へ出力して、クラウドサーバ３へ送信させる。
【０１３８】
本実施例に係る決定部１０２は、クラウドサーバ３から受信した移動先に適した水生成部材の情報と搭載された水生成部材の情報とを比較して、搭載された水生成部材が付近の環境にマッチするか否かを判定する。搭載された水生成部材が付近の環境にアンマッチの場合、決定部１０２は、交換推奨通知を通知部１０１に行わせる。また、決定部１０２は、判定部１３１から取得した搭載された水生成部材が付近の環境にマッチしたものに交換されるまで、定期的に交換推奨通知を通知部１０１に行わせる。
【０１３９】
さらに、搭載された水生成部材が付近の環境にアンマッチの場合、決定部１０２は、水生成装置１の交換推奨状態を表すエラーランプ（不図示）を点灯させる。そして、交換推奨通知で指定されたデシカントロータ１６への交換後に、交換の作業者が、リセットスイッチや制御基板上のスイッチといった入力部２２１を用いて交換完了の通知を入力した場合、決定部１０２は、エラーランプに表示されたエラー通知を解除する。
【０１４０】
次に、図１５を参照して、実施例２に係る水生成装置１による交換推奨通知及び交換後の制御の流れについて説明する。図１５は、実施例２に係る水生成装置による交換推奨通知及び交換後の制御のシーケンス図である。
【０１４１】
水生成装置１は、移動前の特定の場所に設置される（ステップＳ５０１）。
【０１４２】
そして、水生成装置１は、ＧＰＳが作動することで自装置が存在する特定の場所の位置情報を取得する（ステップＳ５０２）。
【０１４３】
さらに、水生成装置１は、付近の温度及び湿度、空気の汚染情報及び水受タンク２１の水位の情報を取得する。そして、水生成装置１は、特定の場所の位置情報、温度及び湿度、空気の汚染情報及び水受タンク２１の水位の情報を含むデータをスマートフォン２へ送信する（ステップＳ５０３）。
【０１４４】
スマートフォン２は、水生成装置１から受信したデータをクラウドサーバ３へ送信する（ステップＳ５０４）。
【０１４５】
クラウドサーバ３は、受信した温度及び湿度、空気の汚染情報及び水受タンク２１の水位の情報を用いて、水生成装置１の付近の環境に適したデシカント材、エアフィルタ１５の種類及び水浄化フィルタ２０の種類を含む水生成部材の情報を取得する。そして、クラウドサーバ３は、水生成部材の情報をスマートフォン２へ送信する（ステップＳ５０５）。
【０１４６】
スマートフォン２は、クラウドサーバ３から受信した水生成部材の情報を水生成装置１へ転送する（ステップＳ５０６）。
【０１４７】
水生成装置１は、搭載された水生成部材と付近の環境に適した水生成部材の情報とを比較して、搭載された水生成部材が付近の環境に適しているかのマッチング判定を実施する（ステップＳ５０７）。ここでは、水生成装置１に搭載された水生成部材が特定の場所の付近の環境に適しているものとする。この場合、水生成装置１は、交換推奨通知は行わない。
【０１４８】
その後、利用者が持ち運ぶなどして、水生成装置１が移動され移動先に設置される（ステップＳ５０８）。
【０１４９】
そして、水生成装置１は、移動先でＧＰＳが作動することで自装置が存在する移動先の場所の位置情報を取得する（ステップＳ５０９）。
【０１５０】
さらに、水生成装置１は、移動先の温度及び湿度、空気の汚染情報及び水受タンク２１の水位の情報を取得する。そして、水生成装置１は、位置情報、温度及び湿度、空気の汚染情報及び水受タンク２１の水位の情報を含むデータをスマートフォン２へ送信する（ステップＳ５１０）。
【０１５１】
スマートフォン２は、水生成装置１から受信したデータをクラウドサーバ３へ送信する（ステップＳ５１１）。
【０１５２】
クラウドサーバ３は、水生成装置１の位置情報が一定期間同じ場所を示すことを確認し、水生成装置１が移動したと判定する。そして、クラウドサーバ３は、温度及び湿度、空気の汚染情報及び水受タンク２１の水位の情報を用いて、移動先の環境に適したデシカント材、エアフィルタ１５の種類及び水浄化フィルタ２０の種類を含む水生成部材の情報を取得する。そして、クラウドサーバ３は、水生成部材の情報をスマートフォン２へ送信する（ステップＳ５１２）。
【０１５３】
スマートフォン２は、クラウドサーバ３から受信した水生成部材の情報を水生成装置１へ転送する（ステップＳ５１３）。
【０１５４】
水生成装置１は、移動して１ヶ月経過後にクラウドサーバ３から水生成部材の情報を取得する。そして、水生成装置１は、搭載された水生成部材と移動先の環境に適した水生成部材の情報とを比較して、搭載された水生成部材が付近の環境に適しているかのマッチング判定を実施する（ステップＳ５１４）。ここでは、水生成装置１に搭載された水生成部材が特定の場所の付近の環境にマッチしていない場合で説明する。
【０１５５】
水生成装置１は、搭載された水生成部材が付近の環境に適していないと判定して、移動先の環境に適した水生成部材を決定する。そして、水生成装置１は、移動先の環境に適した水生成部材への交換推奨通知を利用者に提供する（ステップＳ５１５）。
【０１５６】
利用者Ｐは、移動後に、移動先に適したデシカントロータ１６、エアフィルタ１５及び水浄化フィルタ２０への交換推奨通知を受けて、水生成部材を交換する（ステップＳ５１６）。
【０１５７】
水生成装置１は、搭載されたデシカントロータ１６、エアフィルタ１５及び水浄化フィルタ２０などの水生成部材に合わせて、水生成制御を実行する（ステップＳ５１７）。例えば、水生成装置１は、送風用ファン１４及び再生用ファン１７の回転数、加熱器１２の加熱温度、ポンプ１９の水圧、並びに、殺菌灯２１１の点灯状態などを変更する。
【０１５８】
ここで、本実施例では、クラウドサーバ３により各種の環境情報から水生成部材の特定が行われたが、水生成部材の特定は、例えば、水生成装置１又はスマートフォン２で行われてもよい。
【０１５９】
以上に説明したように、本実施例に係る水生成装置は、位置情報、温度、湿度、空気の汚染情報及び水受タンクの水位をクラウドサーバに送信する。そして、クラウドサーバは、位置情報から水生成装置の移動を検知して、温度、湿度、空気の汚染情報及び水受タンクの水位を用いて移動先の環境に適した水生成部材を特定する。その後、水生成装置は、クラウドサーバにより特定された移動先の環境に適した水生成部材への交換を利用者に通知する。そして、利用者は、水生成部材の交換の要否を容易に知ることができ、水生成装置が配置された環境に適した水生成部材を水生成装置に搭載することができる。これにより、水生成装置は、移動などによる環境変化に合わせて水の生成効率を向上させることができる。
【符号の説明】
【０１６０】
１  水生成装置
２  スマートフォン
３  クラウドサーバ
４  インターネット
５  ＧＰＳ衛星
６  アクセスポイント
１０  管理部
１１  通信部
１３  ステッピングモータ
１４  送風用ファン
１５  エアフィルタ
１６  デシカントロータ
１７  再生用ファン
１８  凝縮器
１９  ポンプ
２０  水浄化フィルタ
２１  水受タンク
２２  状態取得部
２３  外気温度湿度センサ
２４  水位センサ
２５  空質センサ
２６  位置測定部
１００  水生成システム
１０１  通知部
１０２  決定部
１０３  制御部
１３１  判定部
１３２  ステッピングモータ制御部
１３３  送風用ファン制御部
１３４  再生用ファン制御部
１３５  加熱制御部
１３６  ポンプ制御部
１３７  殺菌灯制御部
２１１  殺菌灯
２２１  入力部
２２２  エアフィルタ検出機構
２２３  濾過フィルタ検出機構
【図１】
2020159013.tif 000003
【図２】
2020159013.tif 000004
【図３】
2020159013.tif 000005
【図４】
2020159013.tif 000006
【図５】
2020159013.tif 000007
【図６】
2020159013.tif 000008
【図７】
2020159013.tif 000009
【図８】
2020159013.tif 000010
【図９】
2020159013.tif 000011
【図１０】
2020159013.tif 000012
【図１１】
2020159013.tif 000013
【図１２】
2020159013.tif 000014
【図１３】
2020159013.tif 000015
【図１４】
2020159013.tif 000016
【図１５】
2020159013.tif 000017